(57)【要約】【課題】一層軽くて品質に優れ、異種金属間腐食のおそれがなく、分水栓の出口方向を水平の任意の方向に回転変更可能であり、結合後にはサドルと分水栓の結合部位が任意に回動しなく、結合部位で漏水が発生するおそれがないサドル分水栓を提供する。【解決手段】分岐しようとする上水管３０の外周面上部に位置するサドル２０と、サドル２０の上面中心部に結合される分水栓１０とを含み、分水栓１０の本体がサドル２０に結合されるサドル分水栓であって、サドル２０は、分水栓１０と同一材質の金属板材をプレス加工して製作されたもので、上水管３０の外周面上部を取り囲むように、その垂直断面が円弧状に曲げ加工され、漏水及び異種金属間腐食を防止するために、サドル２０と上水管３０の外周面との間に介在されるシート３８をさらに含む。【選択図】図３
2008144970.tif 000002
【特許請求の範囲】
【請求項１】
分岐しようとする上水管の外周面上部に位置するサドルと、サドルの上面中心部に結合される分水栓とを含み、前記分水栓の本体が前記サドルに結合されるサドル分水栓において、
前記サドルは、分水栓と同一材質の金属板材をプレス加工して製作されたもので、上水管の外周面上部を取り囲むように、その垂直断面が円弧状に曲げ加工され、漏水及び異種金属間腐食を防止するために、前記サドルと上水管の外周面との間に介在されるシートをさらに含むことを特徴とするサドル分水栓。
【請求項２】
前記サドルは、プレス加工によって上向きに突設された結合部を有し、
前記分水栓は、その本体の下側に放射状に拡張されるフランジを有し、
前記サドルの結合部が前記分水栓のフランジに結合されることを特徴とする請求項１に記載のサドル分水栓。
【請求項３】
前記サドルは、プレス加工によって上向きに突設された結合部を有し、
前記サドルの結合部と前記分水栓は螺合されることを特徴とする請求項１に記載のサドル分水栓。
【請求項４】
前記フランジと結合部は電気抵抗熔接によって結合されることを特徴とする請求項２に記載のサドル分水栓。
【請求項５】
前記フランジと結合部はボルト及びナットによって結合され、前記ボルト及びナットは分水栓と同一材質でなることを特徴とする請求項２に記載のサドル分水栓。
【請求項６】
前記結合部の内面と上水管の外周面によって形成される空間を充填する形の中空型突出部がシートと一体的に形成されることを特徴とする請求項２または３に記載のサドル分水栓。
【請求項７】
上水管の長手方向に平行なサドルの両端部位が上方に丸く曲げられ、それぞれの両端部位に環棒が挿入され、上水管の外周面の一部のみを残して取り囲む形態に取り囲むように構成され、前記両端の二本の環棒をボルトで締め付けることにより、サドルが上水管の外周面に密着して結合されることを特徴とする請求項２または３に記載のサドル分水栓。
【請求項８】
上水管を介してサドルの反対側にバンドが設けられ、上水管の長手方向に平行なサドルの両端部位が上方に丸く曲げられ、それぞれの両端部位に環棒が挿入され、バンドの両端部位も丸く曲げられ、それぞれの両端部位に環棒が挿入され、サドル側の環棒とバンド側の環棒をボルトで締め付けることにより、サドルとバンドが上水管の外周面に密着して結合されることを特徴とする請求項２または３に記載のサドル分水栓。
【請求項９】
上水管の長手方向に平行なサドルの両端部位のいずれか一方が上方に丸く曲げられ、この端部に環棒が挿入され、他方は上水管の下部を取り囲むように曲げ加工されたバンドの一端とヒンジで結合され、サドルとヒンジで結合されたバンドの端部の反対側端部が丸く曲げられ、この端部に環棒が挿入され、サドル側の環棒とバンド側の環棒をボルトで締め付けることにより、サドルとバンドが上水管の外周面に密着して結合されることを特徴とする請求項２または３に記載のサドル分水栓。
【請求項１０】
前記環棒は、ボルトが貫通する突部を含み、前記突部は、ボルトと上水管の距離を離隔させてこれら間の接触を防止して、異種金属間の腐食を防止することを特徴とする請求項７〜９のいずれか１項に記載のサドル分水栓。
【請求項１１】
前記サドルの結合部内側面に螺合され、下端部に外向きに突出したフランジを有する中空の固定部材と、前記分水栓の下端外側面に形成されたネジ部と螺合するロックナットとをさらに含み、
前記固定部材は前記サドルの通水孔に挿入され、その先端部が前記分水栓本体の内側に位置し、前記固定部材のフランジが前記サドルの通水孔の外周部下面に密着して気密性を確保することにより、分水栓の本体の方向を調整するために前記ロックナットと分水栓本体の螺合を解除または締結しても、気密性が保障されることを特徴とする請求項３に記載のサドル分水栓。
【請求項１２】
前記固定部材は外周面に形成された雄ネジ部を有し、前記分水栓本体は下部内周面に雌ネジ部を有し、前記固定部材が前記分水栓本体の内側面に螺合され、前記固定部材の外周面のネジ部と分水栓本体の内周面のネジ部のネジ形成方向は、前記ロックナットのネジ部と前記分水栓本体の外周面のネジ部のネジ形成方向と反対であることを特徴とする請求項１１に記載のサドル分水栓。
【発明の詳細な説明】
【技術分野】
【０００１】
本発明はフランジ式またはネジ式サドル分水栓に係り、より詳しくはステンレススチール管、鋼管、銅管、またはＰＥ管でなる上水管の分岐作業時に使用されるサドル分水栓であって、前記サドルは分水栓と同一材質の金属板材をプレス加工したものであり、従来の鋳物でサドルを製作することに比べ、その重さを大きく減らすことができ、異種金属間の腐食を防止することはもちろん、省エネルギー、環境保護、生産性向上、物流費減少などを実現することができ、また、上水管の分水栓をサドルと結合するにあたって、分水栓本体の下部外周面にロックナットを螺合し、下端部に外向突出フランジを形成した中空円筒状固定部材の本体をサドルの通水孔を貫通して分水栓本体の下部に結合し、フランジの上面がサドルの通水孔縁部下面に密着するように構成し、水平の任意方向に分水栓本体をねじって、枝管が連結される出口方向を調整した後、前記ロックナットを締め付けて前記固定部材のフランジをサドルの下面に緊密に圧着してサドルと分水栓を結合するサドル分水栓の結合構造に関するものである。
【背景技術】
【０００２】
サドル分水栓は上水管の分岐作業時に使用されるもので、一般に上水管の外周面上部に結合されるサドルと、サドルの上部に結合される分水栓との２部分で大きく構成され、サドルの反対側に別のバンドがさらに構成できる。
【０００３】
従来のサドル分水栓は、一般に、サドルと分水栓の本体にネジ部を形成し、分水栓のネジ部をサドルのネジ部にねじ込んで螺合するネジ式サドル分水栓と、分水栓の本体下部にフランジを形成し、サドル上面には結合部を形成し、多数のボルトで締め付けて結合するフランジ式サドル分水栓とがある。
【０００４】
従来のサドル分水栓の一般的な構成は、図１または図２に示すように、分岐しようとする上水管の上部にサドル２０を当て、下部にはバンド３２を当てた後、前記サドルとバンドの側部をボルト及びナットで締め付けるようになっており、前記サドルの中央内側にはガスケット３４が介挿され、サドルの上部には上部キャップ１２及び分水栓棒１３を備えた分水栓１０の本体が結合される。本体内部には、分水栓棒の回転によって上部キャップ１２または枝管３５に水道水を噴出するボール３６が内蔵されるように構成される。そして、上部キャップ１２を開き、穿孔機（図示せず）を装着して、ガスケット３４の中央で上水管３０を穿孔するようになっている。このようなサドル分水栓の構成は知られている。また、従来のサドル２０とバンド３２は鉄材鋳物からなり、表面に防食用塗装が施され、前記分水栓は、本体、ボール、分水栓棒、上部キャップなどの構成品がステンレススチールまたは銅合金のように、耐食性及び強度などの機械的性質に優れた材質で製作される。
【０００５】
一方、一般に、サドル分水栓は、サドルと分水栓の本体にネジ部２３が形成されて螺合するネジ式サドル分水栓（図１参照）と、分水栓の本体下部にフランジ１１が形成され、サドル２０の上面に結合部２１が形成され、前記フランジと結合部をボルト３１で締め付けて結合するフランジ式サドル分水栓（図２参照）とがある。
【０００６】
ところが、従来のサドル分水栓は鋳物製のサドルと主にステンレススチールまたは銅合金製の分水栓の材質が互いに違って、結合部位に異種金属間の腐食が発生する問題があった。すなわち、鉄材鋳物製のサドルとステンレススチールまたは銅合金製の分水栓の本体を直接螺合する方式のネジ式サドル分水栓は、ネジ部２３に異種金属間腐食が発生する問題があった。また、分水栓の本体下部にフランジを形成し、サドルには結合部を形成してボルトで結合するフランジ結合方式は、サドルの結合部に、ボルト結合用に形成されたナット孔２４の部位に異種金属間腐食が発生する問題があった。
【０００７】
一方、前記従来のサドル分水栓において、障害物によって枝管の連結方向を変更する必要がある場合、フランジ式サドル分水栓は、枝管が連結される出口方向が一定であるため、別個の配管資材が必要な問題があり、ネジ式サドル分水栓は、分水栓とサドルを締め付ける程度を変更することで出口方向を調整することができるが、螺合部位の結合力の弱化によって漏水が発生し得る問題がある。
【発明の開示】
【発明が解決しようとする課題】
【０００８】
本発明は前記のような問題を解決するためになされたもので、従来の鉄材鋳物からなるサドルの代わりに、プレス加工で製作された金属板材のサドルを提供して、一層軽くて品質に優れたサドル分水栓を提供することにその目的があり、特に異種金属間腐食のおそれがないフランジ式またはネジ式サドル分水栓を提供することにその目的がある。
【０００９】
また、本発明は、分水栓の出口方向を水平の任意の方向に回転変更することが可能なサドル分水栓の結合構造であって、結合後にはサドルと分水栓の結合部位が任意に回動しなく、結合部位で漏水が発生するおそれがないサドル分水栓の結合構造を提供することにその目的がある。
【課題を解決するための手段】
【００１０】
本発明は、前述した目的を達成するために次のような構成の実施例によって具現可能である。
【００１１】
本発明の一実施例によるフランジ式サドル分水栓は、分岐しようとする上水管の外周面上部にサドルが結合され、サドルの上面中心部に分水栓の本体がフランジによって結合されるサドル分水栓において、前記サドルは金属板材をプレス加工してなるものであり、サドルの中心部には結合部が上向きに突設されて、分水栓の本体下部に形成されたフランジと結合するように構成され、結合部の中心部に流出口が形成されていることを特徴とするフランジ式サドル分水栓である。前記サドルの結合部は、分水栓の本体下部に形成されるフランジの形状に合わせて円形または長方形などに製作される。前記結合部とフランジは、電気抵抗熔接またはボルトによって結合でき、前記ボルトは、異種金属間腐食を防止するために、分水栓及びサドルと同一材質のものを使用するのが好ましい。
【００１２】
本発明の他の実施例によるネジ式サドル分水栓は、分岐しようとする上水管の外周面上部にサドルが結合され、サドルの上面中心部に分水栓が螺合するサドル分水栓において、前記サドルは、分水栓と同一材質の金属板材をプレス加工して製作されたもので、上水管の外周面上部を取り囲むように、その垂直断面が円弧状に曲げ加工され、サドルの中心部には中空円筒状結合部が上向きに突設され、結合部の内周面にネジ部が形成されて、分水栓と螺合されることを特徴とするネジ式サドル分水栓である。
【００１３】
本発明のさらに他の実施例によるサドル分水栓は、分水栓本体下部の外周面にロックナットを螺合し、下端部に外向突出フランジが形成された中空円筒状の固定部材の本体をサドルの通水孔を通じて分水栓本体の下部内に挿入して結合し、フランジの上面がサドルの通水孔縁部下面に密着するように構成し、水平の任意方向に分水栓本体をねじって枝管連結される出口方向を調整した後、前記ロックナットを締め付けて前記固定部材のフランジをサドルの下面に緊密に圧着してサドルと分水栓を結合することにより、漏水のおそれなしに分水栓の出口方向を水平の任意方向に調整するように構成したサドル分水栓である。
【００１４】
本発明のさらに他の実施例によるサドル分水栓は、前記固定部材の本体と分水栓本体の下部が、固定部材の本体外周面に雄ネジ部を形成し、分水栓本体下部の内周面に対応雌ネジ部を形成することにより、螺合され、特に左ネジに形成して螺合すれば、分水栓本体の外周面と右ネジ方式で螺合されたロックナットの反対方向に緩まることによってサドルと分水栓が任意に解除されることを防止することができ、結合部位が緩まって漏水が発生することを防止するサドル分水栓である。
【発明の効果】
【００１５】
以上説明したように、本発明は、前述した課題解決手段及び後述の構成、結合、作動関係によって次のような効果を図ることができる。
【００１６】
本発明のフランジ式またはネジ式サドル分水栓は、根本的に異種金属間腐食のおそれがなく、鉄材鋳物からなる従来のサドルの代わりに、プレス加工で製作されたサドルを使用することにより、製品の重量が軽くなり、物流費が節減され、ステンレススチールまたは銅合金で製作されることにより、本発明のサドルは別途の防食用塗装が不要であり、量産のための施設費及び維持補修費が鉄材鋳物からなるサドルより低くかかり、結果として分水栓とサドルのいずれも高級素材で製作されるにもかかわらず、製品単価はむしろ低くなる利点があり、腐食される可能性がない非常に有用な発明である。
【００１７】
また、本発明のサドル分水栓結合構造は、ロックナットだけ簡単に解いてから締め付けることで、易しく分水栓の出口方向を変更して結合することができる構造である。さらに、本発明は、相互反対方向に左ネジと右ネジ方式で分水栓本体の内周面と外周面にそれぞれ螺合する固定部材とロックナットによって分水栓とサドルが結合された後に任意に緩むことを防止することができる結合構造であって、穿孔機を使用して上水管に通水孔を穿孔するとき、穿孔機が装着された分水栓が穿孔機とともに回動する現象がないので、穿孔作業をより易しく実行することができる利点とともに、結合部位で漏水が発生するおそれがない構造である。
【発明を実施するための最良の形態】
【００１８】
以下、本発明を、添付図面を参照しながら、本発明のフランジ式またはネジ式サドル分水栓に基づいて詳細に説明する。
【００１９】
図１は従来のネジ式サドル分水栓を示す断面図、図２は従来のフランジ式サドル分水栓を示す断面図、図３は本発明のフランジ式サドル分水栓の一実施例を示す斜視図、図４は本発明のフランジ式サドル分水栓の部分断面斜視図、図５は本発明のシートの他の実施例を示す斜視図、図６は本発明において、突出部が形成されたシートがサドルと上水管間に介在された状態を示す断面図、図７ａは本発明のフランジ式サドル分水栓の他の実施例を示す斜視図、図７ｂは本発明のフランジ式サドル分水栓のさらに他の実施例を示す斜視図、図７ｃは本発明のフランジ式サドル分水栓のさらに他の実施例を示す斜視図、図８は本発明のネジ式サドル分水栓の一実施例を示す斜視図、図９は本発明のネジ式サドル分水栓の部分断面斜視図、図１０ａは本発明のネジ式サドル分水栓の他の実施例を示す斜視図、図１０ｂは本発明のネジ式サドル分水栓のさらに他の実施例を示す斜視図、図１０ｃは本発明のネジ式サドル分水栓のさらに他の実施例を示す斜視図である。
【００２０】
一般に、サドル分水栓は、上水管３０の上部に結合されるサドル２０と、サドル２０の上部に結合される分水栓１０との２部分で大きく構成され、サドル２０を上水管３０に結合するために、サドル２０の反対側にバンド３２をさらに設けられることができる。
【００２１】
サドル２０の上部に分水栓１０を結合する方式によってネジ式サドル分水栓とフランジ式サドル分水栓に区分することができる。前者は、図１に示すように、分水栓１０の本体下部とサドル上部にネジ部２３を形成し、直接サドル２０と分水栓１０を螺合する方式のもので、このような従来のネジ式サドル分水栓において、鉄材サドル２０とステンレススチール材または銅合金材でなる分水栓１０を螺合する場合、ネジ部２３の異種金属間腐食を防止しにくい問題があり、後者は、図２に示すように、分水栓１０の本体下部にフランジ１１を形成し、サドル２０の結合部２１とボルト３１で結合する方式のもので、従来の鉄材鋳物からなるサドル２０とボルト３１の材質が互いに異なるため、ナット孔２４の部位に異種金属間腐食が発生する問題があった。
【００２２】
従来の鉄材鋳物でなるサドルとステンレススチール材でなる分水栓との間、または鉄材鋳物でなるサドルと銅合金材でなる分水栓との間に発生する異種金属間腐食は、当然同一材質でサドルと分水栓を製作することで解決することができる。ところで、分水栓を鉄材鋳物で製作することはできないから、サドルをステンレススチールまたは銅合金で製作しなければならないが、従来の鋳造による方法では、高価の材料使用による過度な原価上昇のため、現実性が低い。
【００２３】
以下では、本発明の一実施例によるフランジ式サドル分水栓について、図３〜図７ｃを参照して詳細に説明する。
【００２４】
本発明の一実施例によれば、本発明のフランジ式サドル分水栓は、従来の鉄材鋳物でなるサドルの代わりに、分水栓と同一材質の金属板材をプレス加工してサドルを製作することが要旨の一つである。
【００２５】
前記サドル２０は、上水管３０の外周面を取り囲めるように、プレスによって曲げ加工されて垂直断面が円弧状になり、中心部に形成される結合部２１はプレスの深絞り加工によって形成され、これは当業者によって実施可能な一般的な技術内容であるので、その詳細な説明は省略する。
【００２６】
プレス加工はプレスを用いる塑性加工であって、スタンピング（ｓｔａｍｐｉｎｇ）とも言う。プレスには上下往復運動するラムが備えられ、その下端に金型の上型に取り付けられ、下部のベッド上面には下型を固定し、その上に金属などの材料素材を置き、ラムの運動で素材を圧縮して所望の形状及び寸法の製品を作るものである。プレス加工は、剪断、曲げ、ダイスの孔にポンチで押し入れて容器を作る方法である深絞り、ストレッチエクスパンド（ｓｔｒｅｔｃｈ−ｅｘｐａｎｄ）、鍛造、押出し、圧印などの多くの加工の総称である。
【００２７】
本発明において、金属板材をプレス加工してサドルを製作することは、従来の鋳物でサドルを製作することに比べ、その重量を格段に減らすことができるのはもちろん、省エネルギー、環境保護、生産性向上、物流費減少などの多方面で多くの利点を持っている。
【００２８】
金属材板材をプレス加工して製作した本発明のサドルをボルトで分水栓本体の下部フランジに安定的に結合するためのいくつかの具体的な実施例を挙げる。
【００２９】
前記サドル２０の結合部２１には、内周面にネジ部が形成された多数のボルト孔を形成し、前記分水栓１０のフランジ１１にも、結合部２１に形成されたボルト孔と対応する多数のボルト孔を形成し、ボルト３１が上部からボルト孔を貫通してサドル２０のボルト孔に螺合して締結されることにより、サドル２０と分水栓１０を結合するように構成できる。
【００３０】
また、前記サドル２０の結合部２１と分水栓１０のフランジ１１に多数のボルト孔を形成し、ボルト３１の本体が下から上に貫通し、上部でナット３３で締め付けることにより、サドル２０と本体が結合されるように構成し、ボルト３１が空転しないように、結合部２１の下面にボルト頭と同一形状のボルト頭挿入孔が形成された金属板を熔接してボルト頭を固定するように構成することができる。
【００３１】
また、前記サドル２０の結合部２１と分水栓１０のフランジ１１に多数のボルト孔を形成し、ボルト３１の本体が下から上に貫通し、上部でナット３３で締め付けることで、サドル２０と分水栓１０を結合するように構成し、ボルト３１が空転しないように、結合部２１の下面にボルト頭を熔接することができる。
【００３２】
異種金属間腐食を防止するために、前記サドル２０、ボルト３１、金属板及びナット３３は分水栓１０と同一材質で製作することが好ましい。
【００３３】
サドル２０の結合部２１と分水栓１０のフランジ１１をボルト３１で結合する場合、前記シート３８の突出部３９には、ボルト頭またはボルト本体の突出した部分を収容することができる収容溝４２を形成することは当然である。
【００３４】
サドル２０の結合部２１と分水栓１０のフランジ１１との間に漏水防止用Ｏ−リングまたは板状のパッキング３７が介在される。これは、二枚の板の接触面間の漏水を防止するために一般的に使用される技術であるので、その詳細な説明は省略する。
【００３５】
本発明のフランジ式サドル分水栓において、前記サドル２０と上水管３０との間には、流出口２２が形成されたシート３８が介在されることで、漏水を防止し、上水管３０とサドル２０間の異種金属間腐食を防止するように構成される。通常に、前記シート３８は単に気密性を維持して漏水を防止しようとする構成に過ぎなく、ただ前記サドル２０と上水管３０の流出口部位にだけ位置する。しかし、本発明によるシート３８は、前記サドル２０の流出口部位だけでなく、上水管３０と接触する全部位をカバーするようにして、ただ気密維持による漏水防止の効果のみを図るものではなく、上水管３０とサドル２０間で発生する異種金属間腐食を防止するように構成される。
【００３６】
前記流出口２２は上水管３０に穿孔された孔から流出される水を通過させる中空のもので、シート３８だけでなくサドル２０の結合部２１の中心部と分水栓１０のフランジ１１の中心部にも形成されているのは当然である。
【００３７】
前記シート３８には、流出口２２を除く中空型の突出部３９が、深絞り加工で形成された結合部２１の内面と上水管３０の外周面との間に形成される空間を満たす形態に、一体的に形成されることが好ましい。これは、突出部３９が空間を成す面に密着して水密機能を行う効果があり、さらにサドル２０とシート３８の整合をずれなしに容易に行うことができるからである。
【００３８】
本発明において、サドル２０を上水管３０の外周面に安定的に結合するための具体的な実施例を挙げると次のようである。
【００３９】
上水管３０の長手方向に平行なサドル２０の両端部位が上方に丸く曲げられ、その空間に環棒４０が挿入されるので、結果として上水管３０の外周面一部のみを残して取り囲む形態に構成される。ここで、前記両側の二本の環棒４０，４０をボルトで締め付けることにより、環棒４０がサドル２０の両端を均一に加圧することになり、これによりサドル２０が上水管３０の外周面に均一に密着して結合されるように構成される。
【００４０】
また、上水管３０を介在して反対側にバンド３２が設けられ、サドル２０とバンド３２がともに締め付けられて結合されるように構成できる。前記バンド３２は金属板材をプレス加工して製作したもので、上水管３０の下面を取り囲むことができるように製作され、前記サドル２０は上水管３０の長手方向に平行なサドル２０の両端部位が上方に丸く曲げられ、これに環棒４０が挿入され、前記バンド３２も両端部位が丸く曲げられ、これに環棒４０が挿入され、サドル側の環棒４０とバンド側の環棒４０をボルトで締め付けることにより、サドル２０とバンド３２が上水管３０の外周面に密着して結合されることができる。
【００４１】
本発明は、前記のような環棒４０の構成によって、次のような効果を有することができる。まず、環棒４０の垂直方向に締結ボルトが螺合できるようにする結合孔を有するので、前記ボルトの締結において、環棒を備えていない場合に比べ、ボルトの固定によって一層容易に結合可能であり、ボルトの雄ネジとの接触面積が広くなって結合力も向上させることができる。また、前記環棒４０が前記サドル２０とバンド３２の締結部位に管の長手方向に介在されるので、前記サドル２０及びバンド３２との管の長手方向の接触面積を増やすことができる。よって、前記接触面積の増加によって締結力を向上させることができる。さらに、サドル側の環棒４０及びバンド側の環棒４０が多数のボルトで締め付けられることにより、前記二本の環棒４０，４０がサドル２０の両端を均一に加圧することになり、これによりサドル２０が上水管３０の外周面に均一に密着結合して堅固な結合固定力を確保することができる。
【００４２】
前記環棒４０によってサドル２０と上水管３０の安定的な結合を図るための他の実施例はつぎのようである。
【００４３】
図７ａに示す実施例を参照すれば、本発明のサドル分水栓はバンドを含まないで、前記サドル２０が上水管全体を取り囲む形態に構成できる。この場合、前記サドル２０の端部の結合部位に前記環棒４０を含み、ボルトによって上水管３０に堅くて安定的に結合できる。図７ｂに示す他の実施例を参照すれば、本発明のサドル分水栓は、上水管３０の外周面上部に結合されるサドルと外周面の下部に結合されるバンド３２とから構成可能である。ここで、前記環棒４０は前記サドル２０の端部とバンド３２の端部が結合される部位に備えられ、前述したように、ボルトでサドル端部の環棒４０とバンド端部の環棒４０を均一に加圧し、サドル２０が上水管３０の外周面に均一に密着するように結合させる。図７ｃに示す本発明のさらに他の実施例を参照すれば、前記サドル２０は、上水管３０の長手方向に平行なサドル２０の両端部位のいずれか一方が上方に丸く曲げられ、これに環棒４０が挿入され、他方は上水管３０の下部を取り囲むように曲げ加工されたバンド３２の一端とヒンジ４１で結合され、前記バンド３２は、サドル２０とヒンジ４１で結合された端部の反対側端部が丸く曲げられ、これに環棒４０が挿入されるように構成されるので、前記サドル側の環棒４０とバンド側の環棒４０をボルトで締め付けることで、サドル２０とバンド３２が上水管３０の外周面に密着して結合されるように構成できる。前述した環棒４０によるサドル２０と上水管３０の安定的な結合構造はただ好適な実施例であるだけ、これに限定されるものではなく、当業者が容易に実施可能なものであればいずれも含むことができる。
【００４４】
以下、本発明の他の実施例によるネジ式サドル分水栓について、図８〜図１０ｃを参照して詳細に説明する。
【００４５】
本発明のネジ式サドル分水栓は、前記本発明の一実施例によるフランジ式サドル分水栓と同様に、従来の鉄材鋳物でなるサドルの代わりに、分水栓と同一材質の金属板材をプレス加工して製作したサドルを備えることがその特徴の一つである。
【００４６】
前記サドル２０は、上水管３０の外周面を取り囲むように、その垂直断面が円弧状にプレスで曲げ加工され、中心部に分水栓１０と螺合する結合部２１が中空円筒状に上向きに突出するようにプレス加工で形成される。これは、前記フランジ式サドル分水栓でも説明したように、当業者によって実施可能な一般的な技術内容であるので、その詳細な説明は省略する。また、プレス加工に対する説明と、本発明のサドル分水栓を金属板材からプレス加工して製作することの利点及び効果についても、すでに前述した内容であるので、その説明を省略する。
【００４７】
本発明のネジ式サドル分水栓において、前記サドル２０と上水管３０との間には、流出口２２が形成されたシート３８を介在することで、漏水を防止し、上水管３０とサドル２０間の異種金属間腐食を防止するように構成される。通常に、前記シート３８は単に気密性を維持して漏水を防止するための構成に過ぎず、ただ前記サドル２０と上水管３０の流出口部位にだけ位置する。しかし、本発明によるシート３８は、前記サドル２０の流出口２２部位だけでなく、上水管３０と接触する全部位をカバーするようにして、ただ気密維持による漏水防止の効果のみを図るものではなく、上水管３０とサドル２０間に発生する異種金属間の腐食を防止するように構成される。
【００４８】
前記流出口２２は、上水管３０に穿孔された孔から流出される水を通過させる中空である。
【００４９】
本発明において、上水管３０が円形管であることを考慮すれば、サドル２０の結合部２１と螺合する分水栓１０の結合部２１の内面が上水管３０の外周面に密着しにくいので、サドル２０の結合部２１内に空間が生ずるしかない。この空間を満たす形に、流出口２２の周囲に中空型の突出部３９をシートと一体的に形成することができる。この突出部３９は、水密機能の効果があり、さらにサドル２０とシート３８が位置ずれなしに容易に整合できるようにする効果がある。
【００５０】
本発明において、サドル２０を上水管３０の外周面に安定的に結合するための具体的な実施例は、前記本発明のフランジ式サドル分水栓と同一の構成を有する。
【００５１】
上水管３０の長手方向に平行なサドル２０の両端部位が上方に丸く曲げられ、それぞれに環棒４０が挿入され、上水管３０の外周面一部のみを残して取り囲む形態に構成され、前記両側の二本の環棒４０，４０をボルト３１で締め付けてサドル２０の両端を均一に加圧することにより、サドル２０が上水管３０の外周面に均一に密着して結合し、これにより堅固な固定力を確保することができる。
【００５２】
図１０ａに示す実施例を参照すれば、本発明のサドル分水栓は、バンドを含まず、前記サドル２０が上水管全体を取り囲む形態に形成できる。この場合、前記サドル２０の端部で結合される部位に前記環棒４０を備えることで、ボルト３１によって上水管に堅く安定的に結合できる。図１０ｂに示す実施例を参照すれば、本発明のサドル分水栓は、上水管の外周面上部に結合されるサドル２０と、外周面下部に結合されるバンド３２とから構成できる。前記バンド３２は、金属板材をプレス加工して製作したもので、上水管の下面を取り囲むように製作され、前記サドル２０は、上水管の長手方向に平行なサドル２０の両端部位が上方に丸く曲げられ、それに環棒４０が挿入され、前記バンド２０も、両端部位が丸く曲げられ、それに環棒４０が挿入され、サドル側の環棒４０とバンド側の環棒４０をボルト３１で締め付けることで、サドルとバンドが上水管の外周面に密着して結合されるように構成できる。この際に、前記環棒４０は、前述したように、ボルト３１によってサドル端部の環棒４０とバンド端部の環棒４０の両者を均一に加圧し、サドル２０が上水管の外周面に均一に密着して結合するようにする。図１０ｃに示す本発明の他の実施例は、前記サドル２０は上水管の長手方向に平行なサドル２０の両端部位のいずれか一方が上方に丸く曲げられ、それに環棒４０が挿入され、他方は上水管の下部を取り囲むように曲げ加工されたバンド３２の一端とヒンジ４１で結合され、前記バンド３２は、サドル２０とヒンジ４１で結合された端部の反対側端部が丸く曲げられ、それに環棒４０が挿入され、前記サドル側の環棒４０とバンド側の環棒４０をボルト３１で締め付けることで、サドル２０とバンド３２が上水管の外周面に密着して結合するように構成できる。
【００５３】
本発明の環棒４０のさらに他の実施例は、図１１〜図１３に示すように、ボルト３１を上水管３０から離隔させる突起４０ｂを含み、前記環棒４０に中空４０ａを有するように構成される。このような突起４０ｂ及び中空４０ａの構成は、前記環棒４０が、図７ａ〜図７ｃ及び図１０ａ〜図１０ｃに示すように、ただ環棒の中身が詰まった棒で構成され、その環棒内にボルトが挿入される構成とは異なる構成である。前記サドル２０とバンド３２の結合に係る環棒が中身の詰まった棒で製作され、環棒の中間にボルト挿入用の結合孔が位置することになる場合、結局環棒の厚さが前記結合孔の部位で薄くなる部分が存在して強度が低下し、これにより大きな圧力を受ければ、前記結合孔の部位で撓むことになる現象が発生する。さらに、前記環棒は中身の詰まった棒状のものであるで、中空の棒よりは曲げ強度が低下することになる。また、前記環棒自体に結合孔が形成されているので、ボルトが挿入結合されれば、上水管と接触することがあり得る。これにより、相異なる材質の上水管とボルトによって異種金属間腐食が発生することになる。したがって、本発明は、前記環棒４０の長手方向への中心部に空間が形成されるように中空４０ａを含むことにより、素材節減による原価低減の効果とともに曲げ強度を向上させる効果を図ることができ、前記環棒４０の突部４０ｂにボルト３１が挿入結合して、上水管３０から距離をおいて離隔させ、上水管３０との接触を防止することにより、異種金属間の腐食を防ぐことができる効果を図るようにする。
【００５４】
前記バンド３２の表面には、防食及び絶縁の機能を与えるために、塗装を施すことができる。
【００５５】
前記バンド３２と上水管３０の外周面との間にも、異種金属間腐食を防止するためのシート３８ａを介在することが好ましい。ところで、本発明の主目的が異種金属間の接触による腐食を防止することであると言えるので、前記上水管と異なる金属材質で形成されたサドル及びバンドを使用してサドル分水栓を構成する場合はもちろんのこと、たとえ前記上水管と同一材質の金属で前記サドルをプレス加工、製作して組立てるといっても、腐食のおそれが残ることになる。このような理由で、前記シート３８ａは下部のバンド３２と上水管３０の外周面との間に位置して、前記バンド３２と上水管３０間の接触を防ぐことにより、腐食を防止することができるようにする。
【００５６】
前記バンド３２、環棒４０、及び二本の環棒を締め付けるボルト３１をサドル２０と同一材質で製作することで、異種金属間腐食を防止することができる。
【００５７】
本発明のシート３８，３８ａは、従来の一般パッキングのように、ゴムまたは合成樹脂で製作される。
【００５８】
以下、本発明のさらに他の実施例によるサドル分水栓の結合構造について詳細に説明する。
【００５９】
図１１は本発明の他の実施例によるサドル分水栓の結合構造を示す分解斜視図、図１２は本発明の他の実施例によるサドル分水栓の結合構造を示す結合斜視図、図１３は本発明の他の実施例によるサドル分水栓の結合構造を示す断面図である。
【００６０】
一般に、サドル分水栓は、分岐対象の上水管３０に設置されて分岐しようとするときに使用するもので、上水管の外周面に結合されるサドル２０と、サドル２０の通水孔２００が形成された部位に結合される分水栓１０とから構成される。
【００６１】
上水管３０に結合されるサドル２０は一体型構造体に製作することもできるが、必要によって二つ以上の構造体に製作することができる。ここで、分水栓１０と直接結合され、通水孔２００が形成された構造体をサドル２０といい、サドル以外の構造体をバンド３２ということもある。
【００６２】
本発明において、サドル２０は、通水孔２００が形成され、通水孔２００の上部に分水栓１０が結合される構造体をいう。
【００６３】
前記サドル２０は、従来は主に鋳物で製作されたものが一般的であり、前記フランジ式またはネジ式サドル分水栓のように、金属板材をプレス加工して製作したサドルであることができる。
【００６４】
サドル２０の通水孔２００の上部に結合される分水栓１０は、一側に枝管３５が連結される流出口２２が形成され、その内部には必要によって流体を断続することができる開閉手段が設けられ、分水栓の外部には開閉手段を操作する操作手段が備えられる。
【００６５】
前記開閉手段は、流体の流れを誘導する流路が形成された球状、円筒状、板状などのいろいろのものがあり、開閉手段の形態によって操作手段もいろいろに構成され、分水栓の全体形状も様々な形態に製作される。
【００６６】
本発明のサドル分水栓の結合構造は、サドル２０と結合される分水栓本体１０ａの下部が中空円筒状に製作され、外周面にロックナット１００が螺合することを主な特徴とするが、分水栓１０内に設けられる開閉手段または分水栓の形状に対する制限はないと言える。
【００６７】
本発明のサドル分水栓の結合構造は、分水栓１０をサドル２０と結合するにあたって、分水栓本体１０ａの下部の円筒状外周面にネジ部５０を形成し、これにロックナット１００を螺合し、下端部に外向突出の固定部材フランジ３２０が形成された中空円筒状固定部材３００の本体３１０をサドルに形成された通水孔２００を通じて分水栓本体１０ａの下部内に挿入して結合する。この際に、フランジ３２０の上面がサドル２０の下面２１０に密着するように構成する。分水栓本体１０ａを水平の任意方向にねじって、枝管３５が連結される出口方向を調整した後、前記ロックナット１００を締め付けることで、分水栓本体１０ａと結合された固定部材のフランジ３２０をサドルの下面２１０に緊密に圧着してサドル２０と分水栓１０を結合することが特徴である。
【００６８】
前記のように構成された本発明のサドル分水栓の結合構造は、ロックナット１００のみを簡単に解いてから締め付けることで容易に分水栓の出口方向を変更し、枝管３５の方向に合わせて結合することができる利点がある。
【００６９】
前記ロックナット１００とサドル２０の接触面との間、及び前記固定部材フランジ３２０とサドルの接触面との間には、それぞれ漏水防止用パッキング（図示せず）を介在することができる。
【００７０】
前記分水栓本体１０ａの下部内に挿入された固定部材３００を分水栓本体１０ａの下部に熔接して結合することもできるが、好適な実施例において、前記固定部材３００の本体３１０の外周面に雄ネジ部８０を形成し、前記分水栓本体１０ａの下部の内周面には雌ネジ部６０を形成して螺合する。ここで、前記ネジ部は左ネジ（または右ネジ）に形成する反面、前記分水栓本体１０ａの外周面に形成されたネジ部５０と前記ロックナット１００の雌ネジ部７０は右ネジ（または左ネジ）に形成することができる。これは、相互に反対方向の左ネジ（または右ネジ）と右ネジ（または左ネジ）を介してそれぞれ分水栓本体１０ａの内周面と外周面に螺合する固定部材３００とロックナット１００によって分水栓１０が任意に緩まることを防止する結合構造である。すなわち、分水栓１０の上部キャップ１２が搭載された部位に穿孔機を結合し、分水栓１０内にドリルを挿入して上水管３０に通水孔を穿孔するとき、分水栓１０が穿孔機とともに回動することを防止して、より容易な作業を図ることができる利点があり、サドル２０と分水栓１０の結合部位が任意に緩まって漏水が発生することを防止することができる利点がある。
【００７１】
前記サドル２０は鋳物で製作することもでき、分水栓１０と同一材質の金属板材をプレス加工して製作することもできる。
【００７２】
前記サドル２０を分水栓１０と同一材質の金属板材でプレス加工して製作することは、次第に高価の高級素材であるステンレススチール材の分水栓の使用が拡がっている趨勢に従うためである。サドルと分水栓を同一材質で製作すれば、異種金属間腐食の現象を防止することができ、素材の価格が高価であるときは、鋳物で製作することより板材をプレス加工して製作することが製造原価の側面でずっと有利であるからである。
【００７３】
前述した実施例は、本発明が属する技術分野で通常の知識を持った者が本発明によるサドル分水栓を容易に実施し得る程度に開示した好適な実施例であるばかり、前述した実施例及び添付図面に限定されるものではないので、これにより本発明の権利範囲が限定されるものではない。したがって、本発明の技術的思想を逸脱しない範囲内でいろいろの置換え、変形及び変更が可能であることが当業者に明白であり、当業者によって容易に変更可能な部分も本発明の権利範囲に含まれるものであることは明らかである。
【産業上の利用可能性】
【００７４】
本発明によるサドル分水栓は、ステンレススチール管、鋼管、銅管、またはＰＥ管でなる上水管の分岐作業時に適用可能である。
【図面の簡単な説明】
【００７５】
【図１】従来のネジ式サドル分水栓を示す断面図である。
【図２】従来のフランジ式サドル分水栓を示す断面図である。
【図３】本発明のフランジ式サドル分水栓の一実施例を示す斜視図である。
【図４】本発明のフランジ式サドル分水栓の部分断面斜視図である。
【図５】本発明のシートの他の実施例を示す斜視図である。
【図６】本発明において、突出部が形成されたシートがサドルと上水管との間に介在された状態を示す断面図である。
【図７ａ】本発明のフランジ式サドル分水栓の他の実施例を示す斜視図である。
【図７ｂ】本発明のフランジ式サドル分水栓のさらに他の実施例を示す斜視図である。
【図７ｃ】本発明のフランジ式サドル分水栓のさらに他の実施例を示す斜視図である。
【図８】本発明のネジ式サドル分水栓の一実施例を示す斜視図である。
【図９】本発明のネジ式サドル分水栓の部分断面斜視図である。
【図１０ａ】本発明のネジ式サドル分水栓の他の実施例を示す斜視図である。
【図１０ｂ】本発明のネジ式サドル分水栓のさらに他の実施例を示す斜視図である。
【図１０ｃ】本発明のネジ式サドル分水栓のさらに他の実施例を示す斜視図である。
【図１１】本発明の他の実施例によるサドル分水栓の結合構造を示す分解斜視図である。
【図１２】本発明の他の実施例によるサドル分水栓の結合構造を示す結合斜視図である。
【図１３】本発明の他の実施例によるサドル分水栓の結合構造を示す断面図である。
【符号の説明】
【００７６】
１０    分水栓
１０ａ    分水栓本体
１１    フランジ
１２    上部キャップ
１３    分水栓棒
２０    サドル
２１    結合部
２２    流出口
２３    ネジ部
２４    ナット孔
３０    上水管
３１    ボルト
３２    バンド
３３    ナット
３４    ガスケット
３５    枝管
３６    ボール
３７    パッキング
３８、３８ａ    シート
３９    突出部
４０    環棒
４０ａ    中空
４０ｂ    突部
４１    ヒンジ
４２    収容溝
５０、６０、７０、８０    ネジ部
１００    ロックナット
２００    サドルの通水孔
２１０    下面
３００    固定部材
３１０    固定部材本体
３２０    固定部材フランジ
【図３】
2008144970.tif 000003
【図４】
2008144970.tif 000004
【図５】
2008144970.tif 000005
【図６】
2008144970.tif 000006
【図７ａ】
2008144970.tif 000007
【図７ｂ】
2008144970.tif 000008
【図７ｃ】
2008144970.tif 000009
【図８】
2008144970.tif 000010
【図９】
2008144970.tif 000011
【図１０ａ】
2008144970.tif 000012
【図１０ｂ】
2008144970.tif 000013
【図１０ｃ】
2008144970.tif 000014
【図１】
2008144970.tif 000015
【図２】
2008144970.tif 000016
【図１１】
2008144970.tif 000017
【図１２】
2008144970.tif 000018
【図１３】
2008144970.tif 000019